(57)【特許請求の範囲】
【請求項１】
ロール状に巻回された用紙を収納する用紙収納部をプリンタ本体の内部に有し、当該用紙を繰り出してその紙面に印字を行うプリンタであって、
前記プリンタ本体の用紙収納部を二方向に開口させ、当該各開口部から用紙を前記用紙収納部内へ挿入自在とするとともに、当該各開口部にそれぞれ開閉カバーを設け、
前記各開閉カバーは、前記各開口部を閉塞した状態において、前記プリンタ本体の角部で先端部が突き合わされ、当該プリンタ本体の角部に排紙口を形成するとともに、
前記一方の開閉カバーの先端部に印字ヘッドが、前記他方の開閉カバーの先端部にプラテンローラが、それぞれ設けてあり、前記各開閉カバーを閉塞した状態において、前記排紙口の形成箇所にて、前記印字ヘッドと前記プラテンローラとが対峙する構成としたことを特徴とするプリンタ。
【請求項２】
請求項１のプリンタにおいて、
前記一方の開閉カバーの先端部に固定刃が、前記他方の開閉カバーの先端部に可動刃が、それぞれ設けてあり、前記各開閉カバーを閉塞した状態において、前記排紙口の形成箇所にて、前記固定刃と前記可動刃とが対峙する構成としたことを特徴とするプリンタ。
【請求項３】
請求項１のプリンタにおいて、
前記一方の開閉カバーの先端部に可動刃が、前記他方の開閉カバーの先端部に固定刃が、それぞれ設けてあり、前記各開閉カバーを閉塞した状態において、前記排紙口の形成箇所にて、前記可動刃と前記固定刃とが対峙する構成としたことを特徴とするプリンタ。
【発明の詳細な説明】
【技術分野】
【０００１】
この発明は、プリンタ本体内に収納した用紙を繰り出しながら、その表面に印字を行う機能を備えたプリンタに関する。
【背景技術】
【０００２】
この種のプリンタとしては、例えば、特許文献１に開示されたもの等がある。特許文献１のプリンタは、プリンタ本体に上部カバーを備えており、プリンタ本体内には用紙収納部が形成されている。このプリンタは、上部カバーを開くことで用紙収納部が露出し、用紙のセッティングが可能となる。プリンタ本体に収納された用紙は、プリンタ本体内の用紙送り・印字機構によって印字される構成である。また、特許文献１のプリンタは、同文献中の図６に示すような横置きと、図７に示すような縦置きの二つの設置姿勢を選択可能としている。
【特許文献１】実用新案登録第３１２８３５０号公報
【発明の開示】
【発明が解決しようとする課題】
【０００３】
さて、上記のようなプリンタは、様々な使用環境で用いられる。例えば、店舗における精算場所の内側は、店員が立って精算作業ができる必要最小限の空間しか設けていないことが多く、その狭小空間にレシート等を印刷するためのプリンタが設置される。このような狭小空間においては、たとえプリンタが縦置き・横置きの双方が可能であっても、用紙を挿入する際に上部カバーを開閉できる空間の確保が難しく、自ずと設置可能な姿勢が周囲の環境により制約されてしまうことが多かった。
【０００４】
本発明は、このような事情に鑑みてなされたもので、周囲の環境に影響されることなく設置の自由度を広げることができるプリンタの提供を目的とする。
【課題を解決するための手段】
【０００５】
上記目的を達成するために、本発明は、プリンタ本体の内部に用紙を収納する用紙収納部を有し、当該用紙を繰り出してその紙面に印字を行うプリンタであって、
プリンタ本体の用紙収納部を少なくとも二方向に開口させ、当該各開口部から用紙を用紙収納部内へ挿入自在とするとともに、当該各開口部にそれぞれ開閉カバーを設けたことを特徴とする。
【０００６】
このようにプリンタ本体の用紙収納部を少なくとも二方向に開口させることで、いずれの開口からも用紙を挿入できるので、プリンタ周囲の環境に応じた用紙の交換が可能となり、その結果、設置の自由度が広がって良好な作業環境を形成することができる。
【０００７】
ここで、水平面上に配置する横置きと、鉛直面に設置する縦置きとを可能とし、上記各開口部を、横置きでの配置面および縦置きでの設置面以外の面に形成すれば、いずれの姿勢のときも、用紙の交換に際して各開口部を周囲環境に応じて選択して利用することができるので、設置の自由度を広げる上で好ましい。
【０００８】
さらに、プリンタ本体の底面を横置きでの配置面に設定するとともに、背面を縦置きでの設置面に設定し、且つ正面および上面に各開口部を形成すれば、用紙を前方または上方から挿入する基本的な交換方法を任意に選択することが可能となる。
【０００９】
また、プリンタ本体の底面を横置きでの配置面に設定するとともに、背面を縦置きでの設置面に設定し、且つ正面および上面に各開口部を形成することで、横置き縦置きのそれぞれの設置状態で用紙排紙口を前方または上方の任意の方向に選択することが可能となる。
【発明の効果】
【００１０】
以上説明したように、本発明によれば、プリンタ本体の用紙収納部を少なくとも二方向に開口させることで、いずれの開口からも用紙を挿入できるので、プリンタ周囲の環境に応じた用紙の交換が可能となり、その結果、設置の自由度が広がって良好な作業環境を形成することができる。
【発明を実施するための最良の形態】
【００１１】
以下、この発明の実施形態について図面を参照して詳細に説明する。
〔第１実施形態〕
図１は、第１実施形態に係るプリンタの主要構成を模式的に示す図であり、（ａ）は横置きにしたプリンタの斜視図、（ｂ）は同じく側面断面図である。また図２は、第１実施形態に係るプリンタにおいて様々な設置状態を模式的に示す側面断面図である。
図１に示すように、第１実施形態のプリンタは、プリンタ本体１を有し、このプリンタ本体１内に設けられた用紙収納部１０にロール状に回巻された用紙２を収納して、同じくプリンタ本体１内にある用紙送り・印字機構２０によって用紙２を繰り出し表面に印字を行う構成である。また、プリンタは、この他にもカッタ装置３０、制御装置４０等を構成要素として備えている。
【００１２】
本実施形態に係るプリンタは、プリンタ本体１の上面に第１の開口部１ａ、正面に第２の開口部１ｂがそれぞれ開口している。これら各開口部１ａ、１ｂは、用紙２を用紙収納部１０内へ挿入するためのものであり、したがって用紙２を支障なく用紙収納部１０へと挿入してセットできる寸法形状を有している。
【００１３】
また、プリンタ本体１には、図１中に示す筐体の上面隅部に、プリンタ本体１内に通じる排紙口１３が幅方向に形成されている。この排紙口１３は、用紙送り・印字機構２０において繰り出される用紙２を外部に排出するためのものである。
【００１４】
さらに、プリンタ本体１は、二つの設置面を有しており、図１中に示す筐体の底面が第１の設置面（配置面）１４、背面が第２の設置面１５となっている。
本実施形態のプリンタは、使用環境に応じて、図２に示すように種々の姿勢で設置することが可能となっている。例えば、図２（ａ）は、第１の設置面１４を水平面上に配置して横置きの姿勢にした状態を示している。このとき、用紙２は排紙口１３から上方に排出される。図２（ｂ）は、第２の設置面１５を水平面上に配置して横置きの姿勢にした状態を示している。このとき、用紙２は排紙口１３から前方に排出される。図２（ｃ）は、第２の設置面１５を壁等の鉛直面に設置して縦置きの姿勢にした状態を示している。このとき、用紙２は排紙口１３から上方に排出される。図２（ｄ）は、第１の設置面１４を壁等の鉛直面に設置して縦置きの姿勢にした状態を示している。このとき、用紙２は排紙口１３から前方に排出される。
なお、本明細書では、プリンタが設置される「水平面」「鉛直面」は、テーブル、机、台座などの上面や、壁、パーテーションなどの側面であって、一般に許容される傾斜を含む概念として用いている。
【００１５】
図３は、第１実施形態に係るプリンタにおいて開閉カバーが開いた状態を模式的に示す図であり、（ａ）は斜視図、（ｂ）は側面断面図である。
図１及び図３に示すように、第１実施形態のプリンタは、用紙２の交換用に用いられる開閉カバーをプリンタ本体１に二つ備えている。具体的には、プリンタ本体１の上面に形成した第１の開口部１ａを開閉するように第１のカバー１１が設けられており、またプリンタ本体１の正面に形成した第２の開口部１ｂを開閉するように第２のカバー１２が設けられている。
第１の開閉カバー１１は、排紙口１３に隣接して取り付けられた支軸１１ａを中心に回動し、第１の開口部１ａを開閉する構成である。一方、第２の開閉カバー１２は、プリンタ本体１の下側に取り付けられた支軸１２ａを中心に回動して、第２の開口部１ｂを開閉する構成である。
【００１６】
プリンタの用紙送り・印字機構２０は、用紙２に印字を行う印字ヘッド２１と、用紙２を繰り出すプラテンローラ２２とを含んでいる。本実施形態の印字ヘッド２１には、感熱方式により印字を行うサーマルヘッドを適用している。またプラテンローラ２２は、印字ヘッド２１に対し押圧するように対向配置され、図示しない駆動源によって回転駆動が制御されている。
なお、用紙送り・印字機構２０は、上記のような感熱方式に限定されるものではなく、例えばインパクトドット、インクジェット、レーザなど種々の方式が適用可能である。
【００１７】
カッタ装置３０は、用紙送り・印字機構２０の下流にあって、長尺の固定刃３１と、この固定刃３１に対して交叉可能な可動刃３２とを備えている。このカッタ装置３０は、用紙送り・印字機構２０によって用紙２が適当量繰り出された後、可動刃３２を摺動させて固定刃３１と交叉させ用紙２を切断する構成である。
【００１８】
プリンタの制御装置４０は、上記したプリンタの一連の動作を制御する回路基盤等から構成され、プリンタ本体１内の各構成に電気的に接続されている。この制御装置４０は、プリンタ本体１外面のコントローラ（図示せず）にも接続され、ユーザがコントローラを操作することでプリンタの動作設定等を変更することが可能である。
【００１９】
以上のように、第１実施形態のプリンタは、プリンタ本体１内に各種の構成要素が配設されている。このプリンタに対し、用紙２をセットする場合は、第１、第２の開閉カバー１１、１２のいずれかを選択して開き、第１、第２の開口部１ａ、１ｂのうちいずれか一方を開放する。そして、開放した開口部１ａまたは１ｂから用紙２を挿入して、用紙収納部１０にセットする。このとき、用紙の先端部分を、用紙送り・印字機構２０へ案内し、排紙口１３から外部へ送り出しておく。用紙送り・印字機構２０は、電源投入とともに、印字ヘッド２１とプラテンローラ２３が協働し、用紙２を挟持する。これによりプリンタは印字可能な状態となる。
印字動作に伴い、プラテンローラ２３が回転して用紙２を排出する。そして、印字動作終了に合わせてカッタ装置３０が作動し、用紙２を切断する。
なお、上記したプリンタの各種構成は、構造や機能、設置位置等が特に限定されるわけではなく、必要なプリント機能を満たしていれば任意に設計してもよい。
【００２０】
図４は、第１実施形態に係るプリンタにおいて、用紙を用紙収納部に挿入する動作を模式的に示す側面断面図である。
本実施形態のプリンタは、図４（ａ）に示すように、プリンタ本体１の前方に障害物１００が置かれていても、上面にある第１の開閉カバー１１を開くことができるため、支障なく用紙２を用紙収納部１０へ挿入することができる。
【００２１】
また、本実施形態のプリンタは、図４（ｂ）に示すように、プリンタ本体１の上方に、第１の開閉カバー１１を開閉するために必要な隙間がなくても、正面に設けた第２の開閉カバー１２を開くことができるため、支障なく用紙２を用紙収納部１０へ挿入することができる。
【００２２】
このようにプリンタ本体１に第１、第２の開閉カバー１１、１２を設けることにより、これら二つの開閉カバー１１、１２のいずれかを開くことで、第１、第２の開口部１ａ、１ｂのいずれからでも用紙２を挿入することができる。その結果、様々なユーザの使用環境に合わせやすくなり、プリンタ設置の自由度を広げることができる。
【００２３】
また、本実施形態のプリンタは、図３に示すように、第１、第２の開閉カバー１１、１２を同時に開くことで、プリンタ本体１の上面及び正面に形成した第１、第２の開口部１ａ、１ｂの双方を開放して開口面積を広げることもできる。これにより、プリンタ本体１内のメンテナンス作業を行いやすくなり、作業性の向上を図ることができる。
【００２４】
なお、本発明は、上述した実施形態に限定されるものではなく、種々の変形例や応用例が可能なことは勿論である。例えば、本実施形態では、第１、第２の開口部１ａ、１ｂをプリンタ本体１の上面および正面に形成したが、これに限らずプリンタ本体の底面、背面、側面などに開口部を形成するとともに、当該開口部に開閉カバーを設けた構成とすることもできる。
また第１実施形態の他の構成例として、以下にあげる変形例を適用することもできる。
【００２５】
〔変形例１〕
図５は、第１実施形態に係るプリンタの変形例を模式的に示す側面断面図である。
第１、第２の開閉カバー１１、１２は、第１実施形態のプリンタのように支軸１１ａ、１２ａを支点として回動する方式ではなく、図５に示すようにスライド式に開閉する構造としてもよい。このようなスライド式の開閉カバー１１、１２であっても、付近に障害物があれば用紙２を挿入することが困難になるため、二つ以上設けることによりユーザの使用環境に合わせやすくなる。
またこの他にも、開閉カバー１１、１２は、単純にプリンタ本体１から取り外す方式など種々の方法が適用できることは勿論である。要するに、本発明における二つ以上の開閉カバーは、第１、第２の開口部１ａ、１ｂを開放して用紙２を挿入できればよく、その開閉構造はどのようなものであってもかまわない。
【００２６】
〔変形例２〕
図６は、第１実施形態に係るプリンタの他の変形例を模式的に示す斜視図である。
図６に示すように、変形例２のプリンタは、第１、第２の開口部１ａ、１ｂに加え、プリンタ本体１の側面に第３の開口部１ｃを形成し、当該第３の開口部１ｃに第３の開閉カバー１６を設けた構成となっている。
第３の開閉カバー１３も、第１、第２の開閉カバー１１、１２と同様の開閉構造となっており、同カバー１３を開いて第３の開口部１ｃを開放し、この第３の開口部１ｃから用紙収納部１０へ用紙２を挿入可能となっている。
【００２７】
〔変形例３〕
図７は、第１実施形態に係るプリンタの他の変形例を模式的に示す斜視図である。
図７に示すように、変形例４のプリンタは、第２の開閉カバー１２の先端部内側面に用紙送り・印字機構２０及びカッタ装置３０を設置してある。このように用紙送り・印字機構２０及びカッタ装置３０を開閉カバー１１、１２側に設けても、第１実施形態と同様の作用効果を得ることができ、汎用性に優れたプリンタとすることができる。また、第２の開閉カバー１２に用紙送り・印字機構２０があることで、用紙２の交換時にユーザ寄りに用紙送り・印字機構２０が位置するようになり、用紙２を印字ヘッド２１とプラテンローラ２２との間に手動で挟持させることが容易になる。
【００２８】
〔第２実施形態〕
図８は、第２実施形態に係るプリンタの主要構成を模式的に示す図であり、（ａ）は開閉カバーの閉塞状態、（ｂ）は開閉カバーの開放状態を示している。
本実施形態においても、プリンタ本体１の上面に第１の開口部１ａ、正面に第２の開口部１ｂを形成するとともに、第１の開口部１ａには第１の開閉カバー１１が、第２の開口部１ｂには第２の開閉カバー１２がそれぞれ設けられている。
【００２９】
各開閉カバー１１、１２は、一端で回動自在に支持されており、先端側がプリンタ本体１の各部で突き合わさる構成となっている。そして、本実施形態では、この各開閉カバー１１、１２が突き合わさるプリンタ本体１の角部に排紙口１３が形成してある。
【００３０】
さらに、本実施形態のプリンタは、図８に示すように、第１の開閉カバー１１の先端部に印字ヘッド２１と固定刃３１を設置してある。また、第２の開閉カバー１２の先端部には、プラテンローラ２２と可動刃３２が設置してある。
【００３１】
第１、第２の開閉カバー１１、１２は、閉塞状態において、プリンタ本体１の側面フレームに固定され、必要な剛性が確保されている。また、閉塞状態では、第１、第２の開閉カバー１１、１２の先端縁部が突き合わされて係合し、相互の位置決めがなされる。第１、第２の開閉カバー１１、１２の先端縁部が突き合わされた状態（すなわち、各開閉カバー１１、１２が閉塞した状態）においては、排紙口１３の形成箇所にて、印字ヘッド２１とプラテンローラ２２が対峙するとともに、固定刃３１と可動刃３２とが対向位置に配置される。
【００３２】
本実施形態のプリンタでは、第１、第２の開閉カバー１１、１２のいずれか一方を開けば、第１、第２の開口部１ａ、１ｂに一方が開放され、当該開放された開口部１ａまたは１ｂから用紙収納部１０へ用紙２を挿入することができる。すなわち、第１、第２の開口部１ａ、１ｂのいずれからでも用紙２を挿入することができる。その結果、様々なユーザの使用環境に合わせやすくなり、プリンタ設置の自由度を広げることができる。
【００３３】
しかも、本実施形態においては、第１、第２の開閉カバー１１、１２のいずれか一方を開けたとき、同時に印字ヘッド２１とプラテンローラ２２、固定刃３１と可動刃３２のそれぞれが離間する。したがって、用紙収納部１０に挿入配置した用紙２の先端部を引き出し、排紙口１３に残っている印字ヘッド２１および固定刃３１（またはプラテンローラ２２および可動刃３２）に、引き出した用紙２の先端部分を配置することができる。その後、開いた開閉カバー１１または１２を閉じるだけで、印字ヘッド２１とプラテンローラ２２、固定刃３１と可動刃３２のそれぞれが対向配置され、その中間部に用紙２の先端部が挟持されたセット状態が完成する。よって、本実施形態のプリンタによれば、用紙２のセット作業が容易となり、作業性をいっそう向上させることができる。
【００３４】
〔変形例１〕
図９は、第２実施形態に係るプリンタの変形例を模式的に示す図であり、（ａ）は開閉カバーの閉塞状態、（ｂ）は開閉カバーの開放状態である。
図９に示すように、第２実施形態のプリンタは、第１の開閉カバー１１にプラテンローラ２２とカッタ装置３０の可動刃３２が設けられ、第２の開閉カバー１２に印字ヘッド２１とカッタ装置３０の固定刃３１が設けられている。このようにプリンタを構成しても、上述した第２実施形態と同様の作用効果を得ることができる。
【図面の簡単な説明】
【００３５】
【図１】第１実施形態に係るプリンタの主要構成を模式的に示す図であり、（ａ）は横置きにしたプリンタの斜視図、（ｂ）は同じく側面断面図である。
【図２】第１実施形態に係るプリンタにおいて様々な設置状態を模式的に示す側面断面図である。
【図３】第１実施形態に係るプリンタにおいて開閉カバーが開いた状態を模式的に示す図であり、（ａ）は斜視図、（ｂ）は側面断面図である。
【図４】第１実施形態に係るプリンタにおいて用紙を用紙収納部に挿入する状態を模式的に示す側面断面図である。
【図５】第１実施形態に係るプリンタの変形例を模式的に示す側面断面図である。
【図６】第１実施形態に係るプリンタの他の変形例を模式的に示す斜視図である。
【図７】第１実施形態に係るプリンタの他の変形例を模式的に示す斜視図である。
【図８】第２実施形態に係るプリンタの主要構成を模式的に示す図であり、（ａ）は開閉カバーの閉塞状態、（ｂ）は開閉カバーの開放状態を示している。
【図９】第２実施形態に係るプリンタの変形例を模式的に示す図であり、（ａ）は開閉カバーの閉塞状態、（ｂ）は開閉カバーの開放状態を示している。
【符号の説明】
【００３６】
１：プリンタ本体、１ａ：第１の開口部、１ｂ：第２の開口部、１ｃ：第３の開口部、２：用紙、
１０：用紙収納部、１１：第１の開閉カバー、１２：第２の開閉カバー、１３：排紙口、１４：第１の設置面、１５：第２の設置面、１６：第３の開閉カバー
２０：用紙送り・印字機構、２１：印字ヘッド、２２：プラテンローラ、
３０：カッタ装置、３１：固定刃、３２：可動刃、
４０：制御装置、
１００：障害物
【図１】
0005126969.tif 000002
【図２】
0005126969.tif 000003
【図３】
0005126969.tif 000004
【図４】
0005126969.tif 000005
【図５】
0005126969.tif 000006
【図６】
0005126969.tif 000007
【図７】
0005126969.tif 000008
【図８】
0005126969.tif 000009
【図９】
0005126969.tif 000010